(57)【特許請求の範囲】
【請求項１】
衣服本体と、前記衣服本体に装着され、前記衣服本体の外部の空気を、前記衣服本体の内部に流入させる送風装置と、を備え、
前記送風装置は、空気を送風するファンと、前記ファンの下流側に設けられ、前記ファンが送風する空気を殺菌処理する光触媒フィルタと、を備えたことを特徴とする衣服。
【請求項２】
前記送風装置は、前記光触媒フィルタを照射する光源部をさらに備えた、請求項１に記載の衣服。
【発明の詳細な説明】
【技術分野】
【０００１】
本発明は、衣服に関する。さらに詳細には、本発明は、ウイルスや細菌による感染症の対策に有効な衣服に関する。
【背景技術】
【０００２】
新型コロナウイルス（SARS-CoV-2）等の各種ウイルスや細菌の蔓延により、複数人が密集したり、共同で作業したりする場所において感染症対策が必要とされている。
【０００３】
例えば、特許文献１では、プラズマ処理によって、空間の空気に対して、新型コロナウイルス等の各種ウイルスや細菌を殺菌あるいは不活化する空気清浄装置が開示提案されている。
【先行技術文献】
【特許文献】
【０００４】
【特許文献１】特開２０２０−１６３２３２号公報
【発明の概要】
【発明が解決しようとする課題】
【０００５】
しかし、特許文献１で開示提案されている空気清浄装置には、以下のような課題があった。すなわち、この装置が効果的である場所は、密閉された空間であり、例えば、農業や漁業の現場、開放型の工場や作業場では効果が薄れてしまう。また、これらの空気清浄装置等の大型のインフラを導入することは、費用が掛かり、安価に感染症対策を実現することができない。
【０００６】
そこで、本発明者らは、感染される空間全体の空気を殺菌処理するのではなく、感染される虞のある人、及び、その人の周りの空気や衣服等を殺菌処理すれば、感染症対策のための大型のインフラを導入するまでもなく、効果的な感染症対策を実現できるのではないかと着想し、本発明をするに至った。
【０００７】
本発明は、従来技術における前記課題を解決するためになされたものであり、感染症対策のための大型のインフラを導入するまでもなく、効果的で安価な感染症対策を実現することが可能な衣服を提供することを目的とする。
【課題を解決するための手段】
【０００８】
前記目的を達成するため、本発明に係る衣服の構成は、
（１）衣服本体と、前記衣服本体に装着され、前記衣服本体の外部の空気を、前記衣服本体の内部に流入させる送風装置と、を備え、
前記送風装置は、空気を送風するファンと、前記ファンの下流側に設けられ、前記ファンが送風する空気を殺菌処理する光触媒フィルタと、を備えたことを特徴とする。
【０００９】
本発明において、殺菌処理とは、ウイルス及び細菌の殺菌に加えて、これらウイルス及び細菌の不活化を含む処理のことである。
【００１０】
本発明の衣服の上記（１）の構成は、次のような作用効果を奏する。
すなわち、上記（１）の構成を有する本発明の衣服の、衣服本体に装着された送風装置は、ファンが送風した空気を光触媒フィルタが殺菌処理する。したがって、この衣服を着用した人は、衣服本体内に流入する殺菌処理された空気によって殺菌効果が得られ、同時に、ウイルス及び細菌の感染から護られているという安心感も得られる。
また、殺菌処理され、衣服本体内に流入した空気は、衣服本体の襟部や袖先部又は袖ぐり部の隙間から衣服本体の外部に流出し、当該衣服を着用した人の周りの空気や衣服本体の外表面等をも殺菌処理する。そして、これにより、さらなる殺菌効果及び安心感が得られる。
また、送風装置は、衣服本体に装着される、ファンと光触媒フィルタとを備えた小型のものであるため、製造費用を安価に抑えることができる。
以上のように、本発明の衣服の上記（１）の構成によれば、感染症対策のための大型のインフラを導入するまでもなく、効果的で安価な感染症対策を実現することが可能な衣服を提供することができる。
【００１１】
本発明の衣服の上記（１）の構成においては、以下の（２）のような構成にすることが好ましい。
【００１２】
（２）前記送風装置は、前記光触媒フィルタを照射する光源部をさらに備える。
【００１３】
上記（２）の好ましい構成によれば、光触媒フィルタに太陽光が入射しなくても殺菌処理の効果を持続させることが可能となる。
【発明の効果】
【００１６】
本発明によれば、感染症対策のための大型のインフラを導入するまでもなく、効果的で安価な感染症対策を実現することが可能な衣服を提供することができる。
【図面の簡単な説明】
【００１７】
【図１】図１は、本発明の一実態形態における、送風装置を装着した衣服を背面側から見た斜視図である。
【図２】図２は、本発明の一実態形態における送風装置の外観を示す拡大斜視図である。
【図３】図３は、図２のIII−III線矢視断面図である。
【図４】図４は、本発明の一実態形態における送風装置の働きを説明するための図３と同じ断面図（但し、衣服に装着した状態を示しており、図面を簡素化するために、前ガード、後ガード、ファン及びＬＥＤチップ等の一部の図示を省略している）である。
【図５】図５は、本発明の一実態形態における送風装置の外観を示す拡大側面図である。
【図６】図６は、本発明の一実態形態における送風装置の各構成部材を示す拡大分解斜視図である。
【発明を実施するための形態】
【００１８】
以下、好適な実施形態を用いて本発明をさらに具体的に説明する。但し、下記の実施形態は本発明を具現化した例に過ぎず、本発明はこれに限定されるものではない。
【００１９】
［送風装置を装着した衣服の構成］
まず、本発明の一実施形態における、送風装置を装着した衣服の構成について、図１〜図４を参照しながら説明する。
【００２０】
図１は、本発明の一実態形態における、送風装置を装着した衣服を背面側から見た斜視図、図２は、本発明の一実態形態における送風装置の外観を示す拡大斜視図、図３は、図２のIII−III線矢視断面図、図４は、当該送風装置の働きを説明するための図３と同じ断面図（但し、衣服に装着した状態を示しており、図面を簡素化するために、前ガード、後ガード、ファン及びＬＥＤチップ等の一部の図示を省略している）である。
【００２１】
図１に示すように、本実施形態における衣服１は、衣服本体２と、衣服本体２の外部の空気を、衣服本体２の内部に流入させる（図１の実線矢印Ａ、破線矢印Ｂ；実線矢印Ｅ、破線矢印Ｆを参照）送風装置３と、を備えている。
衣服本体２は、通気性の小さな又は通気性の無いシート状素材（不織布等）で形成された、襟部４と袖ぐり部５とを有するベスト型のものである。
送風装置３は、２個設けられており、それぞれ、衣服本体２の両側面下部に形成された円形の装着孔（図示せず）に装着されている。また、送風装置３は、衣服本体２の内側に配設されたケーブル８を介してバッテリ９に接続されており、当該バッテリ９は、衣服本体２の内側に設けられたシームポケット（図示せず）に収納されている。
バッテリ９には、後述するモータ１３（図３〜図６を参照）の駆動をオン／オフするスイッチ（図示せず）が設けられている。また、バッテリ９は、後述するＬＥＤチップ（光源部）１４ａ（図３，図４，図６を参照）に給電するための電源部としての役割をも果たす。
【００２２】
図３，図４に示すように、送風装置３は、空気を送風するファン６と、ファン６の下流側に設けられ、当該ファン６が送風する空気を殺菌処理する光触媒フィルタ７と、を備えている。ここで、殺菌処理とは、ウイルス及び細菌の殺菌に加えて、これらウイルス及び細菌の不活化を含む処理のことである。
【００２３】
光触媒フィルタ７は、例えば、多孔質炭化ケイ素構造体に光触媒を担持させることによって形成され、例えば、スポンジ状構造体からなるフィルタケース（図示せず）に収納されている。
光触媒は、太陽光等の光を吸収することによって触媒作用を示す物質の総称である。すなわち、光触媒は、光が当たると、その表面で強力な酸化力が生まれ、空気中に含まれる有機物（例えば、悪臭の原因物質、インフルエンザウイルス、新型コロナウイルス等のウイルスや浮遊菌、花粉等）を分解除去できるようになる環境浄化材料である。
光触媒としては、例えば、酸化チタン（ＴｉＯ２）等が挙げられる。酸化チタンは、紫外線照射下において触媒活性を示すが、可視光のみでは触媒活性が低下する。このため、紫外線が微弱な場合は、可視光応答型の光触媒を用いることが好ましい。可視光応答型の光触媒としては、例えば、酸化チタン結晶の酸素サイトの一部を窒素原子で置換した酸窒化チタン（Ｔｉ−Ｏ−Ｎ）を含む酸化チタンが挙げられる。
【００２４】
以上説明した本実施形態の送風装置３の構成は、次のような作用効果を奏する。
すなわち、当該送風装置３は、人の衣服１（衣服本体２）に装着可能な送風装置であり、ファン６が送風した空気を光触媒フィルタ７が殺菌処理する。したがって、この送風装置３を装着した衣服１（衣服本体２）を着用した人は、衣服本体２内に流入する殺菌処理された空気（図１の実線矢印Ａ、破線矢印Ｂ；実線矢印Ｅ、破線矢印Ｆを参照）によって殺菌効果が得られ、同時に、ウイルス及び細菌の感染から護られているという安心感も得られる。
また、殺菌処理され、衣服本体２内に流入した空気は、衣服本体２の襟部４や袖ぐり部５の隙間から衣服本体２の外部に流出し（図１の実線矢印Ｃ，Ｄ，Ｇ，Ｈを参照）、当該衣服１（衣服本体２）を着用した人の周りの空気や衣服１（衣服本体２）の外表面等をも殺菌処理する。そして、これにより、さらなる殺菌効果及び安心感が得られる。
また、当該送風装置３は、衣服本体２に装着可能な、ファン６と光触媒フィルタ７とを備えた小型のものであるため、製造費用を安価に抑えることができる。
以上のように、本実施形態の送風装置３の構成によれば、感染症対策のための大型のインフラを導入するまでもなく、効果的で安価な感染症対策を実現することが可能な送風装置を提供することができる。
【００２５】
また、本実施形態の衣服１の構成は、本実施形態の送風装置３を装着したものであるため、上述した当該送風装置３に起因する効果を発揮することができる。
【００２６】
［送風装置の具体的構成］
次に、本実施形態の送風装置の具体的構成について、図５，図６をも参照しながら説明する。
【００２７】
図５は、本発明の一実態形態における送風装置の外観を示す拡大側面図、図６は、当該送風装置の各構成部材を示す拡大分解斜視図である。
【００２８】
図２〜図６に示すように、本実施形態の送風装置３は、空気を送風するファン６と、ファン６を回転させる駆動源としてのモータ１３と、ファン６及びモータ１３を収納する前ガード１０及び後ガード１１と、ファン６を囲むファンリング１２と、を備えている。
【００２９】
後ガード１１は、第１の低背円筒部１１ａと、第１の低背円筒部１１ａの後端に形成されたドーム状の後端面部１１ｂと、第１の低背円筒部１１ａの前端周縁に形成されたフランジ部１１ｃと、からなり、後端面部１１ｂの内側中央部分には、モータ１３の後端部が固着されている。また、モータ１３の前端側の回転駆動軸には、ファン６が取り付けられている。
前ガード１０は、第２の低背円筒部１０ａと、第２の低背円筒部１０ａの前端に形成された略平面状の前端面部１０ｂと、第２の低背円筒部１０ａの前端周縁に形成されたフランジ部１０ｃと、からなっている。そして、前ガード１０は、第２の低背円筒部１０ａを後ガード１１の第１の低背円筒部１１ａ内に挿入した状態で、フランジ部１０ｃを後ガード１１のフランジ部１１ｃに固着することにより、後ガード１１に固定されている。さらに、前ガード１０の第２の低背円筒部１０ａの後端には、ファン６の下流側に位置して円環平板状の光触媒フィルタ７が固着されている。
ファンリング１２は、互いに軸方向に摺動可能な第３及び第４の低背円筒部１２ａ，１２ｂ（二重円筒部）と、第３及び第４の低背円筒部１２ａ，１２ｂのそれぞれの前端に形成されたフランジ部１２ｃ，１２ｄと、からなっている。そして、ファンリング１２は、フランジ部１２ｃを前ガード１０のフランジ部１０ｃに固着することにより、ファン６を囲むようにして前ガード１０に固定されている。
【００３０】
図３，図４，図６に示すように、前ガード１０の前端面部１０ｂの内側には、放射状に形成されたフレキシブル基板１４が貼り付けられており、当該フレキシブル基板１４上には、紫外線照射手段としての複数のＬＥＤチップ（光源部）１４ａが実装されている。そして、ＬＥＤチップ１４ａからの光（紫外線）が光触媒フィルタ７に照射されると（図４の破線矢印Ｊ，Ｋ，Ｍ，Ｎを参照）、光触媒フィルタ７が触媒活性を示すようになり、当該光触媒フィルタ７を通過する空気中に含まれる有機物（例えば、悪臭の原因物質、インフルエンザウイルス、新型コロナウイルス等のウイルスや浮遊菌、花粉等）が分解除去される。
このように、光触媒フィルタ７を照射するＬＥＤチップ（光源部）１４ａを備えるようにすれば、光触媒フィルタ７に太陽光が入射しなくても殺菌処理の効果を持続させることが可能となる。
【００３１】
図１，図４に示すように、以上の構成を有する送風装置３は、ファンリング１２の２つのフランジ部１２ｃ，１２ｄによって、上述した衣服本体２の円形の装着孔（図示せず）の周縁部を挟持固定させることにより、衣服本体２に装着される。
前ガード１０の略平面状の前端面部１０ｂは、衣服本体２の外内で空気の流通を可能にするために、直線状の骨部１０ｄを複数本有した構成となっている。また、後ガード１１のドーム状の後端面部１１ｂも同様に、衣服本体２の外内で空気の流通を可能にするために、中央部分を除いて、曲線状の骨部１１ｄを複数本有した構成となっている。
【００３２】
図１，図３〜図６に示すように、モータ１３は、衣服本体２の内側に配設されたケーブル８を介してバッテリ９に接続されている。また、バッテリ９には、モータ１３の駆動をオン／オフするスイッチ（図示せず）が設けられている。また、バッテリ９は、ＬＥＤチップ（光源部）１４ａに給電するための電源部としての役割をも果たす。
【００３３】
以上説明した送風装置３が装着された衣服１（衣服本体２）の構成によれば、次のような作用効果が得られる。
すなわち、図１，図３，図４に示すように、送風装置３が装着された衣服１（衣服本体２）を着用した人が、バッテリ９のスイッチをオンにすると、送風装置３内のモータ１３が駆動してファン６が回転し始める。このとき、バッテリ９からＬＥＤチップ（光源部）１４ａへの給電も開始される。そして、ＬＥＤチップ（光源部）１４ａからの光（紫外線）が光触媒フィルタ７に照射されると（図４の破線矢印Ｊ，Ｋ，Ｍ，Ｎを参照）、光触媒フィルタ７が触媒活性を示すようになり、殺菌処理が可能な状態となる。
これにより、衣服本体２の外部から送風装置３内に空気が取り込まれ（図１，図４の実線矢印Ａ，Ｅを参照）、送風装置３内に取り込まれた空気は、ファン６の下流側に設けられた光触媒フィルタ７を通過する過程で殺菌処理される。殺菌処理された空気は、衣服本体２内に流入し（図１，図４の破線矢印Ｂ，Ｆを参照）、殺菌効果及び安心感が得られる。殺菌処理され、衣服本体２内に流入した空気は、身体と衣服本体２との間を流通して、衣服本体２の襟部４や袖ぐり部５の隙間から衣服本体２の外部に流出し（図１の実線矢印Ｃ，Ｄ，Ｇ，Ｈを参照）、当該衣服１（衣服本体２）を着用した人の周りの空気や衣服１（衣服本体２）の外表面等をも殺菌処理する。そして、これにより、さらなる殺菌効果及び安心感が得られる。
また、衣服本体２内に流入した空気が気流となって身体と衣服本体２との間を流通する過程で汗が蒸発し、その気化熱で身体が冷却されるという効果も得られる。
【００３４】
なお、上記実施形態においては、ベスト型の衣服本体２に送風装置３を装着する場合を例に挙げて説明した。しかし、本発明は必ずしもこのような構成に限定されるものではない。衣服本体は、袖部（半袖、長袖）を有するものであってもよい。かかる場合であっても、殺菌処理され、衣服本体内に流入した空気を、袖部の先端の隙間から衣服本体の外部に流出させ、当該衣服（衣服本体）を着用した人の周りの空気や衣服（衣服本体）の外表面等を殺菌処理することができるので、上記と同様の効果が得られる。
【００３５】
また、上記実施形態においては、ウイルスや細菌による感染症の対策に有効な技術である送風装置３及びそれを装着した衣服１（衣服本体２）について説明したが、当該衣服１（衣服本体２）は、いわゆる空調服の電動ファン部分に「光触媒フィルタ」と「ＬＥＤチップ（光源部）」を取り付けて実現することも可能である。
【００３６】
また、上記実施形態においては、送風装置３が、２個設けられており、それぞれ、衣服本体２の両側面下部に装着されている場合を例に挙げて説明した。しかし、本発明は必ずしもこのような構成に限定されるものではない。送風装置の個数は、例えば、１個であっても３個以上であってもよい。また、送風装置の装着場所は、例えば、衣服本体の背面の上部又は下部、正面の上部又は下部、あるいは肩部分等であってもよい。特に、衣服本体の肩部分に送風装置を装着し、農業や漁業の現場、開放型の工場や作業場での作業の際に着用する場合には、光触媒フィルタに太陽光が入射しやすくなるため、上述したＬＥＤチップ（光源部）１４ａは不要となる可能性が高い。
したがって、本発明において、光触媒フィルタを照射するＬＥＤチップ等の光源部を備えることは任意である。
【００３７】
また、上記実施形態においては、光触媒として酸化チタンを用いる場合を例に挙げて説明した。しかし、本発明は必ずしもこのような構成に限定されるものではない。光触媒としては、酸化チタンの他に、例えば、酸化錫、酸化亜鉛、酸化タングステン、チタン酸ストロンチウム及び酸化鉄からなる群から選択される少なくとも１種の金属酸化物を用いてもよい。また、これらの金属酸化物と酸化チタンとを一緒に用いてもよい。
【符号の説明】
【００３８】
１  衣服
２  衣服本体
３  送風装置
４  襟部
５  袖ぐり部
６  ファン
７  光触媒フィルタ
８  ケーブル
９  バッテリ
１０  前ガード
１０ａ  第２の低背円筒部
１０ｂ  前端面部
１０ｃ，１１ｃ，１２ｃ，１２ｄ  フランジ部
１１  後ガード
１１ａ  第１の低背円筒部
１１ｂ  後端面部
１２  ファンリング
１２ａ  第３の低背円筒部
１２ｂ  第４の低背円筒部
１３  モータ
１４  フレキシブル基板
１４ａ  ＬＥＤチップ（光源部）
【要約】
【課題】感染症対策のための大型のインフラを導入するまでもなく、効果的で安価な感染症対策を実現することが可能な送風装置及びそれを装着した衣服を提供する。
【解決手段】衣服は、衣服本体と、衣服本体の外部の空気を、衣服本体の内部に流入させる送風装置３と、を備えている。また、送風装置３は、空気を送風するファン６と、ファン６の下流側に設けられ、当該ファン６が送風する空気を殺菌処理する光触媒フィルタ７と、光触媒フィルタ７を照射するＬＥＤチップ（光源部）１４ａと、を備えている。
【選択図】図３【図１】
0006903211.tif 000002
【図２】
0006903211.tif 000003
【図３】
0006903211.tif 000004
【図４】
0006903211.tif 000005
【図５】
0006903211.tif 000006
【図６】
0006903211.tif 000007